(57)【要約】【課題】  モノクロモードとカラーモードとで原稿の読取を開始する位置を同じにすること。【解決手段】  画像読取装置は、原稿をカラーモードで読取るためのＲＧＢラインセンサと、カラー用ラインセンサに対して副走査方向に所定の距離だけ離れて配置され、原稿をモノクロモードで読取るためのモノクロ用ラインセンサとを含む読取部と、原稿と読取部との相対位置を副走査方向に変化させるＡＤＦと、原稿を読取る読取モードをカラーモードとモノクロモードとのいずれかを指定するための操作パネルと、ＡＤＦにより原稿と読取部との相対位置を副走査方向に変化させて読取部に原稿を読取らせる走査期間が開始する時期を、指定された読取モードに応じて切換える制御手段（Ｓ１０８，Ｓ１０９）とを備える。【選択図】        図８
2006060486.tif 000002
【特許請求の範囲】
【請求項１】
原稿をカラーモードで読取るための第１読取手段と、前記第１読取手段に対して副走査方向に所定の距離だけ離れて配置され、原稿をモノクロモードで読取るための第２読取手段とを含む読取手段と、
原稿と前記読取手段との相対位置を副走査方向に変化させる移動手段と、
原稿を読取る読取モードをカラーモードとモノクロモードとのいずれかを指定する指定手段と、
前記移動手段により原稿と前記読取手段との相対位置を副走査方向に変化させて前記読取手段に原稿を読取らせる走査期間が開始する時期を、前記指定された読取モードに応じて切換える制御手段とを備えた、画像読取装置。
【請求項２】
所定の時期からの経過時間を計時する計時手段をさらに備え、
前記制御手段は、前記モノクロモードが指定されている場合、前記計時手段により第１期間の経過が計時されてから前記第１読取手段から出力されるデータを有効とし、前記カラーモードが指定されている場合、前記計時手段により第２期間の経過が計時されてから前記第１読取手段から出力されるデータを有効とする、請求項１に記載の画像読取装置。
【請求項３】
前記移動手段は、原稿を搬送するための原稿搬送手段を含み、
前記計時手段は、前記移動手段が原稿を所定の位置に搬送してからの経過時間を計時する、請求項２に記載の画像読取装置。
【請求項４】
前記移動手段は、前記読取手段の読取位置を移動させる読取位置移動手段を含み、
前記計時手段は、前記読取位置移動手段が読取位置を所定の位置に移動させてからの経過時間を計時する、請求項２に記載の画像読取装置。
【請求項５】
前記移動手段は、原稿で反射した光を前記読取手段に導く反射板を含み、
前記読取位置移動手段は、前記反射板を副走査方向と平行に移動させる反射板移動手段を含み、
前記計時手段は、前記反射板移動手段が前記反射板を所定の位置に移動させてからの経過時間を計時する、請求項４に記載の画像読取装置。
【請求項６】
前記第１期間と第２期間との差は、前記第１読取手段と前記第２読取手段とが副走査方向に離れる所定の距離に応じて定められる、請求項２に記載の画像読取装置。
【発明の詳細な説明】
【技術分野】
【０００１】
本発明は、画像読取装置に関し、特に、原稿を搬送しながら読取る画像読取装置に関する。
【背景技術】
【０００２】
近年、４つのラインセンサを搭載したカラー複写機が開発されている（例えば、特許文献１、特許文献２）。４つのラインセンサは、電荷結合素子（ＣＣＤ：charge coupled device）が用いられる。４つのラインセンサは、カラーモードで原稿を読取るために用いられる赤（Ｒ）、緑（Ｇ）、青（Ｂ）それぞれの光を受光する３つのラインセンサと、モノクロモードで原稿を読取るために用いられる１つのラインセンサとを含む。
【０００３】
４つのラインセンサを用いるメリットは、主に次の２つがある。第１にモノクロモードでの読取の処理の高速化である。カラーモード用の３つのラインセンサが出力するデータを処理してモノクロのデータを生成することが可能であるが、３つのデータを処理する必要がある。このモノクロのデータへの変換処理を省略することで処理を高速化することができる。
【０００４】
第２に原稿台に付着したノイズの検出が可能となることである。カラー複写機では、原稿で反射した光が原稿台ガラスを透過して４つのラインセンサで受光される。原稿台ガラスにゴミが付着していると、原稿で反射した光がゴミで遮られて４つのラインセンサのいずれかに到達しないことになる。４つのラインセンサは、副走査方向に所定の間隔を隔てて配置される。カラーモード用の３つのラインセンサは、それらが配置される間隔が狭く、例えば３ラインの間隔を隔てて配置される。モノクロモード用の１つのラインセンサは、カラーモード用の３つのラインセンサの最も近いものから比較的離れて配置され、例えば９ラインの間隔を隔てて配置される。カラーモード用の３つのラインセンサが原稿を読取る位置と、モノクロモード用の１つのラインセンサが原稿を読取る位置とは、異なることになる。このため、原稿台に付着したゴミにより発生するノイズを、カラーモード用の３つのラインセンサが出力するデータとモノクロモード用の１つのラインセンサが出力するデータのいずれかで検出することができる。
【０００５】
しかしながら、モノクロモードとカラーモードとで読取を開始するタイミングが同じなので、モノクロモードとカラーモードとで読取る原稿の先頭位置にずれが生じる。カラーモードでは、通常、中間に配置されたラインセンサが基準とされて読取を開始するタイミングが定められる。すなわち、原稿の先端がカラーモード用の中間に配置されたラインセンサの読取位置となった時点が、原稿の読取を開始する時とされる。これと同じタイミングでモノクロモード用のラインセンサで読取を開始すれば、１２ライン分のずれが発生する。ここでは、カラーモード用の３つのラインセンサが２ライン間隔で配置され、それらからさらに９ライン離れてモノクロモード用のラインセンサが配置されているとしている。カラーモード用の中間に配置されたラインセンサとモノクロモード用のラインセンサとの間には１２ラインの間隔があるからである。この１２ラインのずれは、画像では約０．５ｍｍのずれとなる。画像におけるずれは、読取った画像を拡大してプリントする場合などに、より顕著に表れる。より具体的には、縦横４倍に拡大する場合などは、２ｍｍのずれとなり、ユーザが原稿とプリントされた画像との違いを感知してしまう程度となってしまう。
【特許文献１】特開２００２−２７１６３１号公報
【特許文献２】特開２００３−２７４１１５号公報
【発明の開示】
【発明が解決しようとする課題】
【０００６】
この発明は上述した問題点を解決するためになされたもので、この発明の目的の１つは、モノクロモードとカラーモードとで原稿の読取を開始する位置を同じにすることが可能な画像読取装置を提供することである。
【課題を解決するための手段】
【０００７】
上述した目的を達成するためにこの発明のある局面によれば、画像読取装置は、原稿をカラーモードで読取るための第１読取手段と、第１読取手段に対して副走査方向に所定の距離だけ離れて配置され、原稿をモノクロモードで読取るための第２読取手段とを含む読取手段と、原稿と読取手段との相対位置を副走査方向に変化させる移動手段と、原稿を読取る読取モードをカラーモードとモノクロモードとのいずれかを指定する指定手段と、移動手段により原稿と読取手段との相対位置を副走査方向に変化させて読取手段に原稿を読取らせる走査期間が開始する時期を、指定された読取モードに応じて切換える制御手段とを備える。
【０００８】
この発明に従えば、読取手段は第１読取手段と第２読取手段を含み、第２読取手段が第１読取手段に対して副走査方向に所定の距離だけ離れて配置される。原稿と読取手段との相対位置を副走査方向に変化させて原稿を読取る走査期間が開始する時期が、第１読取手段で読取る場合と、第２読取手段で読取る場合とで切換えられる。このため、第１読取手段と第２読取手段とで、原稿の読取りを開始する位置がずれるのを防止することができる。その結果、モノクロモードとカラーモードとで原稿の読取を開始する位置を同じにすることが可能な画像読取装置を提供することができる。
【０００９】
好ましくは、所定の時期からの経過時間を計時する計時手段をさらに備え、制御手段は、モノクロモードが指定されている場合、計時手段により第１期間の経過が計時されてから第１読取手段から出力されるデータを有効とし、カラーモードが指定されている場合、計時手段により第２期間の経過が計時されてから第１読取手段から出力されるデータを有効とする。
【００１０】
好ましくは、移動手段は、原稿を搬送するための原稿搬送手段を含み、計時手段は、移動手段が原稿を所定の位置に搬送してからの経過時間を計時する。
【００１１】
好ましくは、移動手段は、読取手段の読取位置を移動させる読取位置移動手段を含み、計時手段は、読取位置移動手段が読取位置を所定の位置に移動させてからの経過時間を計時する。
【００１２】
好ましくは、移動手段は、原稿で反射した光を読取手段に導く反射板を含み、読取位置移動手段は、反射板を副走査方向と平行に移動させる反射板移動手段を含み、計時手段は、反射板移動手段が反射板を所定の位置に移動させてからの経過時間を計時する。
【００１３】
好ましくは、第１期間と第２期間との差は、第１読取手段と第２読取手段とが副走査方向に離れる所定の距離に応じて定められる。
【発明を実施するための最良の形態】
【００１４】
以下、図面を参照しつつ本発明の実施の形態について説明する。以下の説明では、同一の部品には同一の符号を付してある。それらの名称および機能も同じである。したがってそれらについての詳細な説明は繰返さない。
【００１５】
図１は、本発明の実施の形態の１つにおける画像読取装置を備えたＭＦＰ（Multi Function Peripheral）の斜視図である。図１を参照して、ＭＦＰは、原稿画像を読取るための画像読取装置１００と、画像読取装置１００の下部に設けられた画像形成装置３００とを含む。ＭＦＰは、画像読取装置１００で読取られた画像を紙などの記録媒体に形成する。また、ＭＦＰは、フアクシミリ装置、ローカルエリアネットワーク（ＬＡＮ）、公衆回線などのネットワークと接続するための通信インターフェースを備える。
【００１６】
図２は、画像読取装置の内部構成の概略を示す図である。画像読取装置１００は、原稿を自動的に原稿読取り位置に搬送するための自動原稿搬送装置（ＡＤＦ：Ａｕｔｏ  Ｄｏｃｕｍｅｎｎｔ  Ｆｅｅｄｅｒ）１０１と、本体部１０３とを含む。ＡＤＦ１０１は、原稿を載置するための原稿テーブル２と、載置された原稿をさばいて１枚ずつ搬送するための給紙ローラ３と、給紙された原稿を検出するための給紙センサ４と、搬送される原稿の先端を整えるためのタイミングローラ５と、原稿の先端を検出するためのタイミングセンサ６と、原稿の読取位置Ｌ付近において原稿の搬送をガイドするための上部規制板８と、読取位置Ｌを通過した原稿を搬送するためのローラ対７とを含む。
【００１７】
上部規制板８は、白色のシートであり、流し読取位置Ｌにおいて原稿を抑えるとともに、流し読取用の原稿台９に付着したゴミを検出する際に基準濃度板としての機能を果たす。本体部１０３は、透明な部材から構成された流し読取用の原稿台９と、手置読取用の原稿台１５と、原稿台１５を覆い原稿を抑えて固定するための固定板１と、原稿を読取位置で照射するための照明ユニット１６と、４つのラインセンサが副走査方向に配列された読取部１４と、原稿からの反射光を反射して読取部１４に導くための反射ミラー１０，１１，１２と、反射ミラー１２からの反射光を読取部１４上に結像させるためのレンズ１３と、照明ユニット１６および反射ミラー１０，１１，１２の待機中の位置を検出するためのスライダホームセンサ１８とを含む。
【００１８】
照明ユニット１６および反射ミラー１０，１１，１２は、スライダユニットを構成する。照明ユニット１６および反射ミラー１０は、スライダであり、副走査方向に平行（図中矢印方向）に移動する。これにより、読取部１４に結像する光が反射する原稿の位置（読取位置）が副走査方向に平行に移動する。反射ミラー１１，１２は、原稿からの反射光がレンズ１３に到達するまでの光路長を一定にするために、スライダの移動に応じて移動する。スライダユニットは、ＭＦＰが流し読取方式にあるときは、原稿からの反射光が読取位置Ｌを通過するように、スライダを位置決めして固定する。スライダユニットは、ＭＦＰが手置読取方式にあるときは、スライダを予め定められたホーム位置に移動させた後、副走査方向（図中右方向）に一定速度で移動させる。これにより、原稿全体が一定速度で走査される。スライダホームセンサ１８は、スライダが、予め定められたホーム位置にあることを検出するためのセンサであり、ホーム位置に設置される。ホーム位置は、手置読取用の原稿台１５の副走査方向上流端（図面左端）付近である。
【００１９】
＜流し読取方式による読取動作＞
スライダユニットは、原稿からの反射光が予め定められた読取位置Ｌを通過するように、スライダを位置決めして固定する。
【００２０】
原稿テーブル２に載置された原稿は、給紙ローラ３によりさばかれて１枚ずつ搬送される。この際、給紙センサ４により原稿が給紙ローラ３で搬送されていることが検出される。原稿は、給紙ローラ３によりタイミングローラ５に搬送される。タイミングローラ５は、原稿を原稿台９と上部規制板２０３との間に向けて搬送する。タイミングローラ５が搬送する原稿の速度は一定であり、原稿の先端がタイミングセンサ６で検出されてから読取位置Ｌに到達するまでの時間は予め定めておくことができる。
【００２１】
そして、原稿は搬送されながら読取位置Ｌにおいて、読取部１４によりその画像が逐次読取られる。読取位置Ｌを通過した原稿は、ローラ対７により、排紙トレーを兼ねる固定板１上に排出される。ＡＤＦ１０１は、原稿を読取部１４に相対して移動させる。
【００２２】
＜手置読取方式による読取動作＞
原稿は、手置読取用の原稿台１５上に載置され、固定板１で固定される。スライダユニットは、スライダを予め定められたホーム位置に移動させた後、副走査方向（図中右方向）に一定速度で移動させる。これにより、原稿全体が一定速度で走査される。スライダユニットは、スライダを原稿に相対して移動させる。換言すれば、スライダユニットは、読取部１４を原稿に相対して移動させる。
【００２３】
読取部１４は、４つのラインセンサを備える。４つのラインセンサそれぞれは、副走査方向と実質的に垂直な主走査方向に複数の光電変換素子が配列されている。４つのラインセンサは、カラーモード用の３つのラインセンサと、モノクロモード用の１つのラインセンサを含む。
【００２４】
カラーモード用の３つのラインセンサそれぞれは、互いに分光感度が異なるフィルタを有し、原稿から反射した光をフィルタを介して受光する。具体的には、赤（Ｒ）、緑（Ｇ）および青（Ｂ）の各波長の光を透過するフィルタを有する。このため、赤（Ｒ）のフィルタを有するラインセンサは、原稿から反射した光のうち赤色の光の強度を示す電気信号（Ｒ信号）を出力し、緑（Ｇ）のフィルタを有するラインセンサは、原稿から反射した光のうち緑色の光の強度を示す電気信号（Ｇ信号）を出力し、青（Ｂ）のフィルタを有するラインセンサは、原稿から反射した光のうち青色の光の強度を示す電気信号（Ｂ信号）を出力する。
【００２５】
図３は、読取部が備える４つのラインセンサの配置を説明するための図である。図３を参照して、カラーモード用の３つのラインセンサ１４Ｒ，１４Ｇ，１４Ｂは、副走査方向に所定の距離を隔てて予め定められた順番で配置される。ここでは、原稿の読取ラインに換算して１ライン分の距離を隔てて原稿の搬送方向で赤、緑、青の順に配置されている。なお、ラインセンサを配置する間隔および順番は、これらに限定されるものではない。
【００２６】
モノクロモード用の１つのラインセンサ１４Ｙは、カラーモード用の３つのラインセンサのうち最も副走査方向下流側に配置される青（Ｂ）のフィルタを有するラインセンサ１４Ｂからさらに副走査方向下流側に所定の距離を隔てて配置される。ここでは、原稿の読取ラインに換算して９ライン分の距離を隔てて配置されている。なお、ラインセンサ１４Ｙを配置する間隔は、これに限定されるものではない。
【００２７】
３つのラインセンサ１４Ｒ，１４Ｇ，１４Ｂは、１ライン分の距離を隔てて赤、緑、青の順に配置され、ラインセンサ１４Ｙはさらに９ライン分の距離を隔てて配置されるので、４つのラインセンサは、同じタイミングで原稿の異なる位置で反射した光を受光する。したがって、画像読取装置１００が流し読取方式にある場合には、原稿が副走査方向に搬送されるので、原稿のある位置で反射した光は、まず、赤の光を受光するラインセンサ１４Ｒで受光され、緑の光を受光するラインセンサ１４Ｇで受光され、青の光を受光するラインセンサ１４Ｂで受光され、最後にモノクロモード用のラインセンサ１４Ｙで受光される。また、画像読取装置１００が手置読取方式にある場合には、スライダが副走査方向に搬送されるので、原稿のある位置で反射した光は、最初にモノクロモード用のラインセンサ１４Ｙで受光され、青の光を受光するラインセンサ１４Ｂで受光され、緑の光を受光するラインセンサ１４Ｇで受光され、最後に赤の光を受光するラインセンサ１４Ｒで受光される。
【００２８】
カラーモード用の３つのラインセンサ１４Ｒ，１４Ｇ，１４Ｂが出力するデータを、原稿の同じ位置を読取ったデータにするために、後述するライン間補正部５４で調整される。
【００２９】
読取部１４は、４つのラインセンサ１４Ｒ，１４Ｇ，１４Ｂ，１４Ｙを備え、それらは同時に原稿の異なる位置を読取る。上述した読取位置Ｌは、４つのラインセンサ１４Ｒ，１４Ｇ，１４Ｂ，１４Ｙのいずれか１つに対応する位置とすればよい。本実施の形態においては、ラインセンサ１４Ｙに対応する読取位置を基準にし、単に読取部１４の読取位置というときはラインセンサ１４Ｙに対応する読取位置を示す。
【００３０】
図４は、本実施の形態における画像読取装置の機能の概要を示す機能ブロック図である。図４を参照して、画像読取装置１００は、画像読取装置１００の全体を制御するための制御部２０１と、ユーザの操作を受付けるための操作パネル２０５と、読取部１４が出力するデータを処理するための画像処理部２１０と、スライダの移動を制御するためのスライダ制御部２０７と、ＡＤＦ１０１を制御するためのＡＤＦ制御部２０９とを含む。
【００３１】
操作パネル２０５は、画像読取装置１００の上面に設けられ、ユーザの操作を受付ける。ユーザの操作は、読取モードを指定するための操作と、コピーの開始を指示するための操作とを含む。読取モードは、モノクロモードとカラーモードとを含む。操作パネル２０５は、受付けられた操作に対応する信号を制御部２０１に出力する。
【００３２】
ＡＤＦ制御部２０９は、制御部２０１に接続され、制御部２０１からの指示に基づいて上述したＡＤＦ１０１の動作を制御する。ＡＤＦ制御部２０９は、制御部２０１に読取方式を出力する。ＡＤＦ１０１は、原稿テーブル２に原稿が載置されたことを感知するセンサと、原稿台９に原稿が載置されたことを感知するセンサとを有する。ＡＤＦ制御部２０９は、これらのセンサからの原稿感知信号を受信し、原稿テーブル２に原稿が載置されたことが感知された場合には流し読取方式を示す信号を制御部２０１に出力し、原稿台９に原稿が載置されたことが感知された場合には手置読取方式を示す信号を制御部２０１に出力する。
【００３３】
また、ＡＤＦ制御部２０９は、給紙センサ４と、タイミングセンサ６と接続される。ＡＤＦ制御部２０９は、タイミングセンサ６が原稿を感知していない間はハイとなり、原稿を感知している間はローとなる信号を制御部２０１に出力する。したがって、制御部２０１では、ＡＤＦ１０１により原稿が搬送されて、タイミングセンサ６の位置を原稿の先端が通過した時点を認識できるので、その後の経過時間から原稿の先端の位置を求めることができる。
【００３４】
スライダ制御部２０７は、制御部２０１に接続され、制御部２０１からの指示に基づいて上述したスライダユニットの動作を制御する。スライダ制御部２０７には、読取方式とコピー開始指示とが入力される。読取方式には、流し読取方式と手置読取方式とがある。
【００３５】
スライダ制御部２０７は、スライダホームセンサ１８と接続される。スライダホームセンサ１８は、ホーム位置に設置されており、その位置でスライダを感知する。スライダ制御部２０７は、スライダホームセンサ１８がスライダを感知していない間はハイとなり、スライダを感知している間はローとなる信号を制御部２０１に出力する。スライダ制御部２０７は、スライダを所定の速度で移動させる。このため、制御部２０１では、スライダがホーム位置から離れた時点を認識できるので、その後の経過時間から読取部１４の読取位置を求めることができる。
【００３６】
制御部２０１は、ライン同期信号が図示しない発振回路から入力される。また、操作パネルから読取モードが入力される。読取モードは、モノクロモードとカラーモードとがある。制御部２０１は、操作パネルから入力される読取モードに従って、画像処置部２１０で処理する対象となるデータを出力するラインセンサを決定する。具体的には、カラーモードの場合には、ラインセンサ１４Ｒ，１４Ｇ，１４Ｂを決定し、モノクロモードの場合には、ラインセンサ１４Ｙを決定する。
【００３７】
また、制御部２０１は、操作パネルから入力される読取モードと、ＡＤＦ制御部２０９から入力される読取方式に従って、ラインセンサが出力する信号を有効とするタイミングを決定する。このタイミングは、ライン同期信号に基づいてカウントされて決定される。そして、ラインセンサが出力する信号を有効とする間にローとなり、ラインセンサが出力する信号を有効としない間にハイとなる副走査有効領域信号を画像処理部２１０に出力する。タイミングは、次のようにして決定される。副走査有効領域信号は、走査期間を定めるための信号である。
【００３８】
（１）読取方式が流し読取方式の場合。
【００３９】
（ｉ）読取モードがモノクロモードの場合。
【００４０】
原稿の先端がタイミングセンサを通過してから読取部１４の読取位置Ｌまで到達するまでの時間Ｄｅｌａｙ１が予め定められている。時間Ｄｅｌａｙ１は、原稿の先端がタイミングセンサを通過してからモノクロモード用のラインセンサ１４Ｙの読取位置に到達するまでの時間である。このため、ラインセンサ１４Ｙが出力する信号を有効するタイミングは、タイミングセンサ６で原稿を感知してから時間Ｄｅｌａｙ１が経過した時とされる。時間Ｄｅｌａｙ１は、ライン同期信号でカウントすることにより計時される。ライン同期信号のカウント数はライン数を示すためここでは、時間をライン数で示す。
【００４１】
（ii）読取モードがカラーモードの場合。
【００４２】
カラーモードの場合には、ラインセンサ１４Ｒ，１４Ｇ，１４Ｂの出力が用いられる。また、後述するようにこれらの出力はライン間補正されるので、ラインセンサ１４Ｒ，１４Ｇ，１４Ｂの出力を有効とするタイミングは、副走査方向の最も下流に配置されるラインセンサ１４Ｂを基準に定める。上述したようにラインセンサ１４Ｂとラインセンサ１４Ｙとは、１０ラインの間隔を隔てて配置されている。このため、原稿の先端がラインセンサ１４Ｂの読取位置に到達するまでの時間は、時間Ｄｅｌａｙ１よりも１０ライン前になる。このため、ラインセンサ１４Ｒ，１４Ｇ，１４Ｂが出力する信号を有効するタイミングは、タイミングセンサ６で原稿を感知してから時間（Ｄｅｌａｙ１−１０）が経過した時とされる。
【００４３】
カラーモードの場合の時間（Ｄｅｌａｙ１−１０）と、モノクロモードの場合の時間Ｄｅｌａｙ１との差の間に原稿が搬送される距離（走査される距離）は、ラインセンサ１４Ｂとラインセンサ１４Ｙとが配置される間隔に等しい。
【００４４】
（２）読取方式が手置読取方式の場合。
【００４５】
（ｉ）読取モードがモノクロモードの場合。
【００４６】
スライダがホーム位置から原稿の先端位置に到達するまでの時間Ｄｅｌａｙ２が予め定められている。このため、ラインセンサ１４Ｙが出力する信号を有効するタイミングは、スライダホームセンサ１８でスライダを感知しなくなってから時間Ｄｅｌａｙ２が経過した時とされる。時間Ｄｅｌａｙ２は、ライン同期信号でカウントすることにより計時される。ライン同期信号のカウント数はライン数を示すため、ここでは時間をライン数で示す。
【００４７】
（ii）読取モードがカラーモードの場合。
【００４８】
カラーモードの場合には、ラインセンサ１４Ｒ，１４Ｇ，１４Ｂの出力が用いられる。また、後述するようにこれらの出力はライン間補正されるので、ラインセンサ１４Ｒ，１４Ｇ，１４Ｂの出力を有効とするタイミングは、スライダの移動方向の最も下流に配置されるラインセンサ１４Ｒを基準に定める。上述したように読取部１４の読取位置は、ラインセンサ１４Ｙに対応する読取位置を基準としていたため、ラインセンサ１４Ｒに対応する読取位置が、原稿の先端に到達するまでの時間は、時間Ｄｅｌａｙ２よりも１４ライン後になる。このため、ラインセンサ１４Ｂが出力する信号を有効するタイミングは、スライダホームセンサ１８でスライダユニットを感知しなくなってから時間（Ｄｅｌａｙ２＋１４）が経過した時とされる。
【００４９】
カラーモードの場合の時間（Ｄｅｌａｙ２＋１４）と、モノクロモードの場合の時間Ｄｅｌａｙ２との差の間にスライダが移動する距離（走査される距離）は、ラインセンサ１４Ｒとラインセンサ１４Ｙとが配置される間隔に等しい。
【００５０】
画像処理部２１０は、読取部１４および制御部２０１と接続される。制御部２０１から入力される副走査有効領域信号に基づいて、読取部１４から入力される信号を選択して処理する。画像処理部２１０の詳細については後述する。
【００５１】
図５は、流し読取方式における各信号を示すタイミングチャートである。図５では、ライン同期信号と、タイミングセンサ６の出力と、モノクロモードおよびカラーモードの副走査有効領域信号を示す。タイミングセンサ６の出力は、原稿を感知していないときはハイとなり、原稿を感知している間はローとなる信号である。副走査有効領域信号は、信号を無効とする場合にハイとなり、信号を有効とする場合にローとなる。モノクロモード用の副走査有効領域信号は、タイミングセンサ６の出力がハイからローに切換ってからのライン同期信号がライン数Ｄｅｌａｙ１だけカウントされた時点でハイからローに切換り、タイミングセンサ６の出力がローからハイに切換ってからのライン同期信号がライン数Ｄｅｌａｙ１だけカウントされた時点でローからハイに切換る。カラーモード用の副走査有効領域信号は、タイミングセンサ６の出力がハイからローに切換ってからのライン同期信号がライン数（Ｄｅｌａｙ１−１０）だけカウントされた時点でハイからローに切換り、タイミングセンサ６の出力がローからハイに切換ってからのライン同期信号がライン数（Ｄｅｌａｙ１−１０）だけカウントされた時点でローからハイに切換る。
【００５２】
図６は、手置読取方式における各信号を示すタイミングチャートである。図６では、ライン同期信号と、スライダホームセンサ１８の出力と、モノクロモードおよびカラーモードの副走査有効領域信号を示す。スライダホームセンサ１８の出力は、スライダを感知していないときはハイとなり、原稿を感知している間はローとなる信号である。副走査有効領域信号は、信号を無効とする場合にハイとなり、信号を有効とする場合にローとなる。モノクロモード用の副走査有効領域信号は、スライダホームセンサ１８の出力がローからハイに切換ってからのライン同期信号がライン数Ｄｅｌａｙ２だけカウントされた時点でハイからローに切換り、その後原稿サイズにより定まるライン数がカウントされた時点でローからハイに切換る。カラーモード用の副走査有効領域信号は、スライダホームセンサ１８の出力がハイからローに切換ってからのライン同期信号がライン数（Ｄｅｌａｙ２＋１４）だけカウントされた時点でハイからローに切換り、その後原稿サイズにより定まるライン数がカウントされた時点でローからハイに切換る。
【００５３】
図７は、本実施の形態における画像読取装置の画像処理部の構成を示す機能ブロック図である。図７を参照して、画像処理部２１０には、読取部１４からＲ信号、Ｇ信号、Ｂ信号およびＹ信号が入力される。Ｒ信号はラインセンサ１４Ｒが出力する信号であり、Ｇ信号はラインセンサ１４Ｇが出力する信号であり、Ｂ信号はラインセンサ１４Ｂが出力する信号であり、Ｙ信号はラインセンサ１４Ｙが出力する信号である。
【００５４】
画像処理部２１０は、読取部１４から入力されたアナログ信号に所定の処理するアナログ処理部５１Ｒ，５１Ｇ，５１Ｂ、５１Ｙと、アナログ信号をデジタル信号に変換するアナログ／デジタル（Ａ／Ｄ）変換部５２Ｒ，５２Ｇ，５２Ｂ、５２Ｙと、シェーディング部５３Ｒ，５３Ｇ，５３Ｂ、５３Ｙと、Ｒ信号、Ｇ信号、Ｂ信号が原稿の同一ラインとなるように同期させるためのライン間補正部５４と、ＲＧＢ信号またはＹ信号に画像処理または補正処理等するための画像補正部５５と、画像を画像形成装置３００に出力するためのプリンタインターフェース５６とを備える。
【００５５】
アナログ信号部５２Ｒ，５２Ｇ，５２Ｂ、５２Ｙは、Ｒ信号、Ｇ信号、Ｂ信号およびＹ信号のそれぞれに黒レベル補正やゲイン調整をする。
【００５６】
シェーディング部５３Ｒ，５３Ｇ，５３Ｂ、５３Ｙには、Ａ／Ｄ変換部５２Ｒ，５２Ｇ，５２Ｂ、５２Ｙから、デジタル信号に変換されたＲ信号、Ｇ信号、Ｂ信号およびＹ信号がそれぞれ入力される。また、シェーディング部５３Ｒ，５３Ｇ，５３Ｂ、５３Ｙには、ライン同期信号が入力される。シェーディング部５３Ｒ，５３Ｇ，５３Ｂ、５３Ｙは、Ｒ信号、Ｇ信号、Ｂ信号およびＹ信号それぞれから照明ユニット１６の照明ムラ等を除去する。
【００５７】
ライン間補正部５４には、シェーディング部５３Ｒ，５３Ｇ，５３Ｂからシェーディング補正後のＲ信号、Ｇ信号およびＢ信号が入力される。また、ライン間補正部５４には、ライン同期信号と、読取方式が入力される。読取方式は、ＡＤＦ制御部２０９から出力され、制御部２０１から入力される。
【００５８】
ライン間補正部５４は、流し読取方式の場合には、最も位相が遅れるＢ信号に他のＲ信号およびＧ信号の位相を合せる。このため、Ｒ信号を４ライン分遅延させ、Ｇ信号を２ライン分遅延させることにより、Ｒ信号、Ｇ信号およびＢ信号が原稿の同一ラインとなるように同期する。上述したように、ラインセンサ１４Ｒ，１４Ｇ，１４Ｂは、副走査方向に１ライン分の距離を隔てて配列されているためである。
【００５９】
ライン間補正部５４は、手置読取方式の場合には、最も位相が遅れるＲ信号に他の信号の位相を合せる。このため、Ｂ信号を４ライン分遅延させ、Ｇ信号を２ライン分遅延させることにより、Ｒ信号、Ｇ信号およびＢ信号が原稿の同一ラインとなるように同期する。
【００６０】
画像補正部５５には、位相のそろったＲ信号、Ｇ信号およびＢ信号と、それらとは位相の異なるＹ信号とが入力される。また、画像補正部５５は、ライン同期信号と、制御部２０１から副走査有効領域信号とが入力される。画像補正部５５は、Ｒ信号、Ｇ信号およびＢ信号と、Ｙ信号とを別々に処理する。処理の内容は、倍率を変換する倍率変換処理、濃度を調整する自動露出調整処理（ＡＥ）処理、ＭＴＦ（modulation transfer function)処理等である。また、画像補正部５５は、カラーモードの場合には、副走査有効領域信号が有効の間だけＲ信号、Ｇ信号およびＢ信号をプリンタインターフェース５６に出力し、モノクロモードの場合には、副走査有効領域信号が有効の間だけＹ信号をプリンタインターフェース５６に出力する。
【００６１】
図８は、画像読取部の制御部で実行される処理の流れを示すフローチャートである。図８を参照して、まず、ＡＤＦ制御部２０９において、原稿が原稿テーブル２または原稿台９のいずれかに載置されたことが感知される（ステップＳ１０１）。ステップＳ１０２では、読取方式を判別する。原稿が原稿テーブル２に載置されたことが感知された場合に流し読取方式と判別し、原稿が原稿台９に載置されたことが感知された場合に手置方式と判別する。流し読取方式と判別された場合にはステップＳ１０３に進み、手置読取方式と判別された場合にはステップＳ１１０に進む。
【００６２】
ステップＳ１０３では、スライダを流し読取方式用の読取位置Ｌに移動させる。そして、操作パネル２０５において、コピーキーが押下されるまで待機状態となる（ステップＳ１０４でＮＯ）。コピーキーが押下された場合には（ステップＳ１０４でＹＥＳ）、タイミングセンサ６で原稿が検出されるまで待機状態となる（ステップＳ１０５でＮＯ）。タイミングセンサ６で原稿が検出された場合には（ステップＳ１０５でＹＥＳ）、ステップＳ１０６においてカウンタが「０」にリセットされる。カウンタは、ライン同期信号がハイになるごとにカウントアップされる。すなわち、カウンタは、原稿がタイミングセンサ６で検出されてから原稿が移動するライン数をカウントする。換言すれば、カウンタは、原稿がタイミングセンサ６で検出されてからの経過時間を計時する。
【００６３】
次にステップＳ１０７で、読取モードが判定される。読取モードは、ユーザが操作パネル２０５を用いて指定するものである。読取モードがモノクロモードに指定されている場合にはステップＳ１０８に進み、読取モードがカラーモードに指定されている場合にはステップＳ１０９に進む。ステップＳ１０８では、カウンタがＤｅｌａｙ１ラインとなるまで待機状態となる（ステップＳ１０８でＮＯ）。カウンタがＤｅｌａｙ１ラインとなった時点で、ステップＳ１１７に進む。ステップＳ１０９では、カウンタが（Ｄｅｌａｙ１−１０）ラインとなるまで待機状態となる（ステップＳ１０９でＮＯ）。カウンタが（Ｄｅｌａｙ１−１０）ラインとなった時点で、ステップＳ１１７に進む。ステップＳ１１７では、ハイの状態の副走査有効領域信号をローにすることにより、副走査有効領域信号をオンにする。
【００６４】
すなわち、読取モードがモノクロモードの場合には、原稿の先端がタイミングセンサ６を通過してから原稿がＤｅｌａｙ１ライン搬送された時点で副走査有効領域信号をオンにし、読取モードがカラーモードの場合には、原稿の先端がタイミングセンサ６を通過してから原稿が（Ｄｅｌａｙ１−１０）ライン搬送された時点で副走査有効領域信号をオンにする。原稿の先端がタイミングセンサ６を通過してから原稿がＤｅｌａｙ１ライン搬送された時点における原稿の先端は、ラインセンサ１４Ｙに対応する読取位置にある。また、原稿の先端がタイミングセンサ６を通過してから原稿が（Ｄｅｌａｙ１−１０）ライン搬送された時点における原稿の先端は、ラインセンサ１４Ｂの位置にある。
【００６５】
一方、手置読取方式の場合には、ステップＳ１１０において、スライダをホーム位置に移動させる。ホーム位置は、スライダホームセンサ１８によって検出されるスライダの位置である。そして、操作パネル２０５において、コピーキーが押下されるまで待機状態となる（ステップＳ１１１でＮＯ）。コピーキーが押下された場合には（ステップＳ１１１でＹＥＳ）、スライダホームセンサ１８でスライダが検出されている間待機状態となる（ステップＳ１１２でＹＥＳ）。スライダホームセンサ１８でスライダが検出されなくなった場合には（ステップＳ１１２でＮＯ）、ステップＳ１１３においてカウンタが「０」にリセットされる。カウンタは、ライン同期信号がハイになるごとにカウントアップされる。すなわち、カウンタは、スライダホームセンサ１８でスライダが検出されなくなってから、換言すれば、スライダがホーム位置から移動を開始してからスライダが移動するライン数をカウントする。カウンタは、スライダがホーム位置から移動を開始してからの経過時間を計時する。
【００６６】
次にステップＳ１１４で、読取モードが判定される。読取モードは、ユーザが操作パネル２０５を用いて指定するものである。読取モードがモノクロモードに指定されている場合にはステップＳ１１５に進み、読取モードがカラーモードに指定されている場合にはステップＳ１１６に進む。ステップＳ１１５では、カウンタがＤｅｌａｙ２ラインとなるまで待機状態となる（ステップＳ１１５でＮＯ）。カウンタがＤｅｌａｙ２ラインとなった時点で、ステップＳ１１７に進む。ステップＳ１１６では、カウンタが（Ｄｅｌａｙ２＋１４）ラインとなるまで待機状態となる（ステップＳ１１６でＮＯ）。カウンタが（Ｄｅｌａｙ２＋１４）ラインとなった時点で、ステップＳ１１７に進む。ステップＳ１１７では、ハイの状態の副走査有効領域信号をローにすることにより、副走査有効領域信号をオンにする。すなわち、読取モードがモノクロモードの場合には、スライダがホーム位置から移動を開始してから、スライダがＤｅｌａｙ２ライン移動した時点で副走査有効領域信号をオンにし、読取モードがカラーモードの場合には、スライダがホーム位置から移動を開始してから、スライダが（Ｄｅｌａｙ２＋１４）ライン搬送された時点で副走査有効領域信号をオンにする。スライダがホーム位置から移動を開始してから、スライダがＤｅｌａｙ２ライン移動した時点においては、ラインセンサ１４Ｙの読取位置が原稿の先端となる。また、スライダがホーム位置から移動を開始してから、スライダが（Ｄｅｌａｙ２＋１４）ライン移動した時点においては、ラインセンサ１４Ｒの読取位置が原稿の先端となる。
【００６７】
以上説明したように本実施の形態における画像読取装置１００は、原稿と読取部１４との相対位置を副走査方向に変化させて原稿を読取る走査期間が開始する時期を、モノクロモードの場合とカラーモードの場合とで切換える。このため、モノクロモードの場合とカラーモードの場合とで、原稿の読取りを開始する位置を合せることができる。
【００６８】
また、流し読取方式の場合には、タイミングセンサ６を原稿の先端が通過してから原稿が搬送されるライン数をカウントし、モノクロモードの場合には、原稿がＤｅｌａｙ１ラインだけ搬送されてからラインセンサ１４Ｙから出力されるＹ信号を有効とし、カラーモードの場合には、（Ｄｅｌａｙ１−１０）ラインだけ原稿が搬送されてからラインセンサ１４Ｒ，１４Ｇ，１４Ｂから出力されるＲ信号、Ｇ信号、Ｂ信号を有効とする。手置読取方式の場合には、スライダがそのホーム位置から離れてからスライダが移動する距離をライン数でカウントし、モノクロモードの場合には、スライダがＤｅｌａｙ２ラインだけ移動した時点からラインセンサ１４Ｙから出力されるＹ信号を有効とし、カラーモードの場合には、（Ｄｅｌａｙ１＋１４）ラインだけスライダが移動した時点からラインセンサ１４Ｒ，１４Ｇ，１４Ｂから出力されるＲ信号、Ｇ信号、Ｂ信号を有効とする。モノクロモードの場合とカラーモードの場合とで、原稿の読取りを開始する位置を合せることができる。
【００６９】
なお、本実施の形態における画像読取装置１００は、手置読取方式の場合、モノクロモードとカラーモードとで副走査有効領域信号で信号を有効とする開始タイミングを異ならせるようにしたが、副走査有効領域信号で信号を有効とする開始タイミングを一定として、スライダがホーム位置から原稿先端に移動するまでの速度を異ならせるようにしてもよい。この場合、同じ時間でカラーモードの場合の方がモノクロモードの場合よりも１４ラインだけ多くの距離を移動するようにすればよい。また、流し読取方式の場合、副走査有効領域信号で信号を有効とする開始タイミングを一定として、原稿の先端がタイミングセンサ６を通過してから読取位置に移動するまでの速度を異ならせるようにしてもよい。この場合、同じ時間でモノクロモードの場合の方がカラーモードの場合よりも１０ラインだけ多くの距離を移動するようにすればよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の実施の形態の１つにおける画像読取装置を備えたＭＦＰの斜視図である。
【図２】画像読取装置の内部構成の概略を示す図である。
【図３】読取部が備える４つのラインセンサの配置を説明するための図である。
【図４】本実施の形態における画像読取装置の機能の概要を示す機能ブロック図である。
【図５】流し読取方式における各信号を示すタイミングチャートである。
【図６】手置読取方式における各信号を示すタイミングチャートである。
【図７】本実施の形態における画像読取装置の画像処理部の構成を示す機能ブロック図である。
【図８】画像読取部の制御部で実行される処理の流れを示すフローチャートである。
【符号の説明】
【００７２】
１  固定板、２  原稿テーブル、３  給紙ローラ、４  給紙センサ、５  タイミングローラ、６  タイミングセンサ、７  ローラ対、８  上部規制板、９  原稿台、１０，１１，１２  反射ミラー、１３  レンズ、１４Ｒ，１４Ｇ，１４Ｂ  ラインセンサ、１４  読取部、１５  原稿台、１６  照明ユニット、１８  スライダホームセンサ、５１Ｒ，５１Ｇ，５１Ｂ  アナログ処理部、５２Ｒ，５２Ｇ，５２Ｂ  Ａ／Ｄ変換部、５３Ｒ，５３Ｇ，５３Ｂ  シェーディング部、５４  ライン間補正部、５５  画像補正部、５６  プリンタインターフェース、１００  画像読取装置、１０３  本体部、２０１  制御部、２０３  上部規制板、２０５  操作パネル、２０７  スライダ制御部、２０９  ＡＤＦ制御部、２１０  画像処置部、３００  画像形成装置。
【図１】
2006060486.tif 000003
【図２】
2006060486.tif 000004
【図３】
2006060486.tif 000005
【図４】
2006060486.tif 000006
【図５】
2006060486.tif 000007
【図６】
2006060486.tif 000008
【図７】
2006060486.tif 000009
【図８】
2006060486.tif 000010